(57)【要約】      （修正有）【課題】防汚用電流と陰極防食電流との干渉を防止し、陽極形成部材に被覆された電気的触媒の表面状態が海水中の鉄イオンやマンガンイオン等の付着・堆積で変化しても海生生物の付着を防止できる防汚装置を提供する。【解決手段】構造物１の海水と接触する防汚対象部位の表面に、絶縁体を介して設けられた陽極形成部材４と、電気化学的に活性かつ安定な材料の陽極形成部材の表面に被覆された電気的触媒３と、海水に接触する導電体８と、正極７ａ、負極７ｂ、電位制御部７ｃ及び補助電流制御部７ｄを有し、正極が陽極形成部材または電気的触媒に接続され、負極が導電体に接続され、電位制御部により正極と負極との間の電位差を海水中で塩素の発生を抑制しつつ酸素を発生させるように調整するとともに、必要に応じて補助電流制御部により正極と負極との間の電流値を絶えず防汚に必要な酸素を発生させるように調整する外部直流電源７とを備えた構造物の防汚装置。【選択図】  図１
2004339782.tif 000002
【特許請求の範囲】
【請求項１】
構造物における海水と接触する防汚対象部位の表面に、絶縁体を介して設けられた陽極形成部材と、
電気化学的に活性かつ安定な材料により構成され、前記陽極形成部材の表面に被覆された電気的触媒と、
海水に接触するように設置された導電体と、
正極、負極、電位制御部および補助電流制御部を有し、前記正極が前記陽極形成部材または前記電気的触媒に接続されるとともに、前記負極が前記導電体に接続され、前記電位制御部により前記正極と前記負極との間の電位差を海水中で塩素の発生を抑制しつつ酸素を発生させるような値に調整するとともに、必要に応じて前記補助電流制御部により前記正極と前記負極との間の電流値を防汚に必要な酸素を発生させるような値に調整する、外部直流電源と
を備えたことを特徴とする構造物の防汚装置。
【請求項２】
請求項１記載の構造物の防染装置において、
前記絶縁体は、耐海水性があるシートにより構成された構造物の防染装置。
【請求項３】
請求項１記載の構造物の防染装置において、
前記絶縁体は、前記構造物に前記陽極形成部材を固定するための接着剤により形成された構造物の防染装置。
【請求項４】
請求項１記載の構造物の防染装置において、
前記構造物の海水側絶縁部の表面は、ゴム系あるいは樹脂系のライニングが施されていた壁面である構造物の防汚装置。
【請求項５】
請求項１記載の構造物の防染装置において、
前記構造物がコンクリート製構造物であって、
前記導電体が、前記構造物の補強用鉄筋として形成されている構造物の防汚装置。
【請求項６】
請求項１記載の構図物の防染装置において、
前記構造物の少なくとも一部を構成する海水と接触する金属材料からなる部材に陰極防食電流を流す手段と、
を備えた構図物の防汚装置。
【請求項７】
請求項１記載の構造物の防染装置において、
前記構造物は、少なくとも金属材料からなる複数の伝熱管とこれら複数の伝熱管を支える金属材料からなる管板とを備えて構成された熱交換器であり、
前記伝熱管または前記伝熱管に電気的に接続された熱交換器の海水と接触する構成部材に陰極防食電流を流す手段を備え、
前記伝熱管の内表面を、酸素を発生させるための電気分解用の陰極として用いる防汚装置。
【請求項８】
請求項７記載の構造物の防染装置において、
前記防汚対象部位は、前記熱交換器の管板である構造物の防汚装置。
【請求項９】
請求項７記載の構造物の防染装置において、
前記防汚対象部位は、熱交換器の水室を構成する壁体の内面であり、
前記壁体の内面にはゴム系若しくは樹脂系のライニングが施されており、
前記陽極形成部材は、前記ライニング上に設けられている構造物の防汚装置。
【発明の詳細な説明】
【０００１】
【発明の属する技術分野】
本発明は、海水と接する構造物における海水側の表面への海生生物の付着を防止する防汚装置に係り、特に、海水と接する構造物の海水側の表面に電気的触媒を設け、電気的触媒から酸素を発生させて海生生物の付着を防止する防汚装置に関する。
【０００２】
【従来の技術】
海水を冷却水として取水する発電所においては、海水と接する構造物としての熱交換器における伝熱管の入口や出口の管板に、イ貝、フジツボ、ヒドロ虫とか海藻類等（海生生物と称する）が付着することがある。これらの海生生物は、伝熱管の管端部を塞いで洗浄用スポンジの通過障害になったり、伝熱管内面を閉塞したりする。このため、発電所は、これらの除去作業のために、しばしば操業の停止を余儀なくされている。そして、これらの海生生物は、銅合金製の管板や伝熱管よりも、耐海水性のチタン製の管板や伝熱管に付着し易い。
【０００３】
また、ゴムライニングされている鋼製の水室においては、ストレーナの網を通り抜けた幼生の海生生物が着生、成育および脱落を繰返す。これにより、冷却用伝熱管の内面が閉塞することになる。
【０００４】
これら海生生物の駆除や付着防止（以下、防汚と称する）の対策として、塩素や塩素化合物の環境海水中への投入、毒性イオンを生成する顔料を含有する防汚塗料の塗布、および海水電解による塩素や銅などの、毒性イオンの生成等が行われている。
【０００５】
これらの方法は、有効な防汚機能を発揮するが、大量の海水環境にあってはその量や濃度の管理が容易でない。そして、確実な防汚効果を期待するために過大濃度にし勝ちであり、結果的に環境汚染の原因になる可能性が高い。このため、今日では、そのような防染対策は禁止或いは抑制の方向にある。
【０００６】
そこで、無公害、無毒性の防汚対策が、最近多くの研究者や技術者によって開発が進められている。例えば、シリコーン系防汚塗料は、無公害で無毒性であって防汚効果がある。
【０００７】
しかしながら、シリコーン系防汚塗料は、貝殻等の異物の接触により防汚寿命が短くなること、施工コストが高いこと、大面積の対象物や既存の施設への簡単容易な施工手段がないこと、海水の流れを止めると防汚効果が減少すること等の欠点のため、広く実用化されるには至っていない。
【０００８】
また、特許文献１には、別の防染方法が記載されている。これは、水や海水と接するチタン製熱交換器等の表面に、主として白金族金属の混晶或いはこれらの金属の酸化物との混合物からなる電気的触媒皮膜を形成し、これを陽極として電解し、塩素ガスを実質的に発生させないで十分な酸素を発生させることにより、水中の生物およびスケールの沈積を抑制するという方法である。
【０００９】
しかしながら、この方法は、水や海水と接するチタン製構造部材の表面に電気的触媒を形成し陽極として作用させるため、チタン製構造部材と導通している熱交換器を構成する他の金属部材（例えば、水室或いは導水管などは、通常鋼製でゴムライニング等が施されている）も陽極的に負荷される。したがって、万一、ゴムライニング等が何らかの理由で破損した場合、この破損部から流出電流が生じ、チタン材以外の構成金属部材が異常腐食してしまう。
【００１０】
さらに、この方法は、電気的触媒の触媒活性のための処理において、３５０〜４５０℃で数時間の電気抵抗加熱処理等を実施するので、その際の発生熱や熱応力等による構造物の損傷が懸念され、かつコストが膨大になる。したがって、この方法も広く実用化されるには至っていない。
【００１１】
また、チタン製熱交換器では、通常、チタン製部材が使用されている所は伝熱管や管板に限定され、本体胴や水室、熱交換器へ海水を導く導水管や海水を海へ戻す放水管等は鋼製である。鋼製の水室、導水管、放水管などは電気的にチタン製部材と導通しているので、海水と接触するとガルバニ腐食を起こし、鋼が激しく腐食される。したがって、海水と接触する鋼材表面は、腐食防止のためにゴムライニング等が施工されている。
【００１２】
万一、ゴムライニング等が破損した場合には、鋼製部材を電気的に鋼材の防食電位まで下げる陰極防食法を採用して、鋼製部材と導通しているチタン製部材を陰極的に負荷する必要がある。
【００１３】
しかし、特許文献１記載の技術では、チタン製部材を陽極としているので、それに導通している鋼製の水室、導水管、放水管も陽極的に負荷されており、原理上陰極防食法が採用できず、破損部から流出電流が生じて鋼製材が異常腐食を起こしてしまう。
【００１４】
これに対して特許文献２では、この対策を提供している。すなわち、熱交換器のチタン管板面等に、電気抵抗加熱等の熱を加えることなく電気的触媒を設け、かつ、チタン管板等の熱交換器構造部材と電気的に絶縁することによって、万一金属部材に設けられたゴムライニング等が何らかの理由で破損した場合でも、陰極防食法を採用し、破損部における金属部材の異常腐食を防止することができる。
【００１５】
この特許文献２に記載の対策は、海水に接する構造物の海水側の表面において酸素を発生させて、構造物の海水側の表面における海生生物の着生を抑制する防汚装置において、海水に接する構造物の海水側の表面に絶縁性接着剤を介して設けられた陽極形成部材と、陽極形成部材に被覆された電気化学的に活性で安定な電気的触媒と、海水に接触するように設置された導電体と、正極が陽極形成部材または電気的触媒に接続され、負極が導電体に接続され、自動電位制御部を内蔵する外部直流電源と、を備え、外部直流電源は、正極と負極との間の電位が海水中で塩素の発生を抑制しつつ酸素を発生させる値に設定されている。
【００１６】
そして、この特許文献２に記載の発明によれば、予め電気的触媒を被覆した陽極形成部材を、絶縁性接着剤によって常温で容易に構造物の海水側の表面に接着できるため、熱応力等による構造物の損傷の懸念がない。しかも、絶縁性接着剤が介在するため、例えばチタン管板等の構造物との電気的絶縁が達成され、チタン管板等と導通する金属部材を保護するゴムライニング等が何らかの理由で破損した場合でも、破損部における金属部材の異常腐食を防止することができる。
【００１７】
【特許文献１】
特公平０１−４６５９５号公報
【特許文献２】
特開２０００−１１９８８４号公報
【００１８】
【発明が解決しようとする課題】
特許文献２に記載の防汚装置においては、チタン製熱交換器のように耐食性の優れたチタン製伝熱管を使用し、伝熱管そのものに対して陰極防食法が必要ない場合には非常に有効である。
【００１９】
しかしながら、アルミニウム黄銅管などのようにそれ自体の耐食性が劣り、伝熱管そのものに陰極防食法を適用しなければならない熱交換器の場合には、防汚効果が減少する懸念がある。それは、アルミニウム黄銅管に流れ込む陰極防食電流と防汚装置の負極に接続された導電体に流れ込む防汚用電流とが互いに対向して干渉し合うため、防汚装置の電流の制御すなわち電位の制御が難しくなるためである。
【００２０】
具体的な数値に基づいて説明すると、防汚装置において熱交換器管板面に貼り付けた陽極形成部材の電位を１．０Ｖに維持して酸素を発生させるために必要な防汚用電流密度を０．５Ａ／平米とすると、１０００ＭＷ級発電プラントの熱交換器管板の面積は約１８平米であり、防汚に必要な管板面から流れ出る電流は約９Ａである。
【００２１】
一方、アルミニウム黄銅管の陰極防食に必要な防食電流（管板面に向かう電流で、正確にはアルミニウム黄銅管に流れ込むもの）は、その約７倍、６０Ａ程度である。両者が、水室内海水中で対向して流れ干渉し合うと、電流値の大きい陰極防食電流の制御は容易であるが、それと対向して管板面から流れ出る、約１／２０と小さい防汚用電流の制御は難しく、防汚効果の維持に支障を来たすことがある。
【００２２】
また、それ自体へ陰極防食法を適用する必要はないチタン製伝熱管を用いた場合でも、伝熱管に電気的に接続された水室や配管に陰極防食法を適用しなければならない場合もあり、このような場合には、上記と同様に防汚用電流と陰極防食電流との干渉に起因する問題が発生することになる。
【００２３】
さらに、海水中に微量含まれている鉄イオンやマンガンイオン等が陽極形成部材に被覆された電気的触媒の表面に付着・堆積すると、表面状態が変わり、電気的触媒自体の持つ電位−電流の相対的な関係が崩れ、自動定電位制御だけでは所定の防汚用電流が得られず、防汚効果の維持に支障を来たす懸念がある。
【００２４】
本発明は、上記の問題点を解決するためになされたものであり、防汚用電流と陰極防食電流との干渉を防止し、さらに陽極形成部材に被覆された電気的触媒の表面状態が海水中に微量含まれている鉄イオンやマンガンイオン等の付着・堆積で変化しても、確実かつ容易に海生生物の付着を防止できる防汚装置を提供することを目的としている。
【００２５】
【課題を解決するための手段】
上記目的を達成するために、本発明は、
構造物における海水と接触する防汚対象部位の表面に、絶縁体を介して設けられた陽極形成部材と、電気化学的に活性かつ安定な材料により構成され、前記陽極形成部材の表面に被覆された電気的触媒と、海水に接触するように設置された導電体と、正極、負極、電位制御部および補助電流制御部を有し、前記正極が前記陽極形成部材または前記電気的触媒に接続されるとともに、前記負極が前記導電体に接続され、前記電位制御部により前記正極と前記負極との間の電位差を海水中で塩素の発生を抑制しつつ酸素を発生させるような値に調整するとともに、必要に応じて前記補助電流制御部により前記正極と前記負極との間の電流値を防汚に必要な酸素を発生させるような値に調整する、外部直流電源とを備えたことを特徴とする構造物の防汚装置、
を提供するものである。
【００２６】
【発明の実施の形態】
以下、第１ないし第５の実施の形態につき、それぞれ図面を参照して説明する。ここで、各実施の形態に共通する要素については、同一符号を付し、その説明は先行する実施の形態により代表して行うこととする。
【００２７】
図１は、本発明の第１の実施の形態を示す説明図である。図１に示すように、海水１５に接する構造物の防汚装置２０は、海水１５に接するチタン製熱交換器１（構造物）の海水１５側の表面において、酸素を発生させて、熱交換器１の海水１５側の表面における海生生物の着生を抑制する防汚装置である。
【００２８】
熱交換器１は、チタン製管板１ａと、このチタン製管板１ａに支持された複数のチタン製伝熱管１ｂとを有している。図１に示すように、熱交換器１の海水１５側には、内面にゴムライニング１１が形成された水室１０が形成されている。
【００２９】
防汚装置２０は、熱交換器１における海水１５側の表面の略全面に、絶縁性接着剤６を介して絶縁シート５が取付けられている。絶縁シート５の上面には、絶縁性接着剤６を介して、厚さが０．１〜０．３ｍｍのパネル状のチタンシート４（陽極形成部材）が略全面に取付けられている。絶縁シート５およびパネル状のチタンシート４は、図１に示すように、複数のチタン製伝熱管１ｂの管径に対応する複数の開孔を有している。
【００３０】
パネル状のチタンシート４の図示上面側には、予め触媒被覆処理によって被覆され、電気抵抗加熱等により３５０〜４５０℃で数時間の加熱処理を行うことにより、熱活性化処理され電気化学的に活性で安定な電気的触媒３が設けられている。電気的触媒３は、具体的には、白金系金属または白金系金属酸化物、あるいは、コバルトまたはマンガンの酸化物からなる単一体、混晶体または複合体である。
【００３１】
また、ゴムライニング１１から海水１５側に向かって、導電体８が突出して設けられている。同様に、照合電極１２も突出して設けられている。
【００３２】
防汚装置２０は、外部直流電源７を有しており、その正極７ａはパネル状のチタンシート４に接続され、負極は導電体８に接続され、照合極７ｒは照合電極１２に接続されている。外部直流電源７は、電位制御部である自動電位制御部７ｃを内蔵しており、正極７ａと負極７ｂとの間に形成される通電回路の電位が海水１５中で塩素の発生を抑制しつつ酸素を発生させる値に設定されている。この値は、具体的には、海水電解で塩素が発生するＳＣＥ基準電位１．２０Ｖより低く、かつ標準海水における酸素発生電位０．５２Ｖより高い。
【００３３】
外部直流電源７には、さらに補助電流制御部である補助自動電流制御部７ｄが内蔵されており、正極７ａと負極７ｂとの間の電流値を、絶えず防汚に必要な酸素を発生させるような値に調整する。その電流値は、海水の温度、組成によって変動するが、通常は０．３〜１．０Ａ／平米である。なお、照合電極１２は、パネル状のチタンシート４の電位をモニターするもので、その検出電圧は自動電位制御部７ｃの制御用データとして用いられる。
【００３４】
次に、第１の実施の形態につき、その作用を説明する。陽極として機能するパネル状のチタンシート４（陽極形成部材）の電位、すなわち電気的触媒３の電位が、外部直流電源７により０．５２Ｖから１．２０Ｖの範囲に保持される。これにより、電気的触媒３の表面から、塩素の発生は抑制されて酸素が発生する。このとき、海水中に微量含まれている鉄イオンやマンガンイオン等が、陽極形成部材４に被覆された電気的触媒３の表面に付着・堆積すると表面状態が変わり、電気的触媒３自体の持つ電位−電流の相対的な関係が崩れる。
【００３５】
この結果、自動定電位制御だけでは所定の防汚用電流が得られず、防汚効果の維持に支障をきたす場合には、必要に応じて補助自動電流制御部７ｄにより防汚に要する酸素を発生させる電流値、つまり０．３〜１．０Ａ／平米に調整する。これにより、電気的触媒３の表面から、塩素の発生は抑制されるとともに絶えず酸素が発生し、海生生物の付着を防止することができる。
【００３６】
この第１の実施の形態によれば、予め電気的触媒３を被覆したパネル状のチタンシート４を、絶縁性接着剤６、絶縁シート５およびもう一つの絶縁性接着剤６を介して、常温で容易に熱交換器１の海水１５側の表面に接着できる。このため、熱応力等による熱交換器１の損傷の懸念がなく、かつ、絶縁性接着剤６および絶縁シート５が介在するため、チタン管板１ａ等とパネル状のチタンシート４との電気的絶縁が達成され、チタン管板１ａと電気的に導通する金属部材の異常腐食を防止することができる。
【００３７】
また、第１の実施の形態によれば、電気的触媒３が、白金系金属または白金系金属酸化物、あるいはコバルトもしくはマンガンの酸化物からなる単一体、混晶体または複合体であるため、電極としての活性化が図られると共に、溶出量が最小に抑えられる。これにより、長時間安定した酸素発生を実現できる。この効果は、特に補助自動電流制御部７ｄにより、防汚に必要な酸素を発生させる電流値を０．３〜１．０Ａ／平米の範囲に調整することにより、電気的触媒３の溶出量が少なくなり、より一層顕著になる。
【００３８】
また、絶縁シート５は、耐海水性に優れ、劣化しない塩化ビニールまたは繊維強化プラスチックにより構成されている。更に加工性にも優れているため、伝熱管１ｂの管径に対応する複数の開孔を容易に加工できる。特に、チタンシート４と絶縁シート５とを予め絶縁性接着剤６で接合した後の開孔加工を容易にできる。
【００３９】
また、第１の実施の形態によれば、絶縁性接着剤６が、海水温度０〜５０℃で安定した接着強度を有する変性シリコーンポリマーおよびエポキシ樹脂を主成分とした高機能弾力性接着剤であるため、安定で耐久性のある接着強度を得ることができるとともに、その弾力性によって異物等の衝突に対する耐性も高くできる。
【００４０】
なお、陽極電位は、陽極表面の電流密度の関数であるから、電流密度が大きくなるほど電位は高くなり、それに比例して酸素の発生量も大きくなる。すなわち、陽極の電位を１．２０Ｖにより近く維持すれば、塩素が生成することなく、また海生生物を死滅させることもなく、無公害で環境に優しい効果的な防汚が実現できる。ただし、この場合、陽極の電流密度が高過ぎると、電気的触媒３の溶出量が増加し、電気的触媒３の劣化が速まり、かつ、防汚用電流値が必要以上に高くなるから、防汚装置の運転コストが高くなり得策でない。
【００４１】
そこで、補助自動電流制御部７ｄにより、防汚に必要な酸素を発生させる電流値を０．３〜１．０Ａ／平米の範囲に調整することで、電気的触媒３の溶出量を最小限に留め、かつ、防汚装置を経済的に運転できる。
【００４２】
図２は、本発明の第２の実施の形態の構成を示している。図２に示すように、この第２の実施の形態では、構造物の防汚装置２０では、絶縁シート５が設けられず、熱交換器１の海水１５側の表面に絶縁性接着剤６のみを介してチタンシート４が取付けられている。その他は、図１に示す第１の実施の形態と同様の構成である。
【００４３】
この第２の実施の形態のように、絶縁シート５を設けなくとも、絶縁性接着剤６による絶縁作用が十分であれば、チタン管板１ａ等とパネル状のチタンシート４との電気的絶縁が達成され、チタン管板１ａ等に電気的に導通する金属部材の異常腐食を防止することができる。
【００４４】
図３は、本発明の第３の実施の形態の構成を示す説明図である。この図３に示すように、熱交換器１は、複数のアルミニウム黄銅製の伝熱管１ｂと、これら複数の伝熱管１ｂを支えるネーバル黄銅製の管板１ａとを有している。
【００４５】
アルミニウム黄銅製の伝熱管１ｂは海水に対する耐食性が劣るため、陰極防食法により防食されている。陰極防食には、外部電源方式および犠牲陽極方式を適用することができる。
【００４６】
この第３の実施の形態では、外部電源方式を用いた例を示しており、伝熱管１ｂと陰極防食用電極４１とが陰極防食用の外部直流電源装置４０を介して接続され、陰極防食用電極４１から伝熱管１ｂに陰極防食用電流が流れ込むようになっている。無論、擬制陽極方式により伝熱管１ｂに陰極防食用電流が流れ込むようにしてもよい。
【００４７】
この第３の実施の形態によれば、伝熱管１ｂを外部直流電源７の負極７ｂに接続して、伝熱管１ｂの内周面を海水電解のための陰極として用いているため、防汚用電流と陰極防食電流とが同じ方向に流れる。したがって、防汚用電流と陰極防食電流との干渉を少なくすることができ、防汚用電流の制御、すなわち電位の制御をより確実に容易に行うことができる。
【００４８】
また、照合電極１２を陽極形成部材であるチタンシート４の近傍に突き出して設けたので、陽極形成部材の電位を精度良くモニターすることができ、電位の制御をより確実にできる。
【００４９】
図４は、絶縁シート５を設けずに絶縁性接着剤６の絶縁作用を利用してチタンシートを設けた例を示したものである。すなわち、管板１ａ上に絶縁シート５なしで、絶縁性接着剤６のみを介してチタンシート４を設ける構成とすることができる。この場合も、図３に示す実施の形態と略同一の効果が得られる。
【００５０】
図５は、照合電極１２を設ける位置につき他の例を示したもので、伝熱管１ｂの管端の内部から海水１５側に突出すように設けることができる。この場合、照合電極１２を、チタンシート４すなわち陽極形成部材により近接して配置することができるため、電位の制御をさらに正確に行うことができる。
【００５１】
図６は、海水１５の流入側および放出側の水室１０の壁体に設けたゴムライニング１１（防汚対象部位）の表面に、電気的触媒３付きのチタンシート４を取付けた例を示している。このように構成して、電気的触媒３の表面から、塩素の発生を抑制し酸素を発生させるようにしてもよい。なお、この場合、ゴムライニング１１とチタンシート４とを接着する接着剤１６は、絶縁性を有するものでなくてもよい。
【００５２】
ここで、図５および図６においては、陰極防食用電流を流す手段（外部直流電源装置４０および陰極防食用電極４１）の図示が省略されている。
【００５３】
また、図３ないし図６に示す実施の形態においては、管板１ａの材料としてネーバル黄銅を用い、伝熱管１ｂの材料としてアルミニウム黄銅を用いた例を示したが、材料の組み合わせはこれらに限定されない。例えば、管板１ａの材料としてアルミニウム青銅を、また伝熱管１ｂの材料としてアルミニウム黄銅を用いてもよい。他に、管板１ａの材料としてネーバル黄銅、伝熱管１ｂの材料としてスーパーステンレス鋼とするとか、管板１ａの材料としてアルミニウム青銅、伝熱管１ｂの材料としてスーパーステンレス鋼とするとか、管板１ａの材料および伝熱管１ｂを共にスーパーステンレス鋼とするとか、してもよい。
【００５４】
また、管板１ａおよび伝熱管１ｂの材料を共にチタンとしてもよい。この場合、チタンが耐食性に優れているため、それ自体へ陰極防食法を適用する必要はないが、それに接続された熱交換器を構成する他の部材、例えば水室や配管に陰極防食法を適用することがあり、この場合にも防汚用電流と陰極防食電流が互いに干渉することがあるため、本発明を適用することには十分に意味がある。
【００５５】
図７は、本発明の第４の実施の形態を示すものである。図７に示すように、第４の実施の形態における防汚装置２０は、海水１５の流入側および放出側の水室１０に設けたゴムライニング１１（構造物）の海水１５側の表面において、酸素を発生させて、海生生物の着生を抑制する防汚装置である。
【００５６】
防汚装置２０は、ゴムライニング１１の海水１５側の表面に、接着剤１６を介して厚さが０．１〜０．３ｍｍのチタンシート４（陽極形成部材）が取付けられている。接着剤１６は、絶縁性を有する必要がない。その他の構成は、図１に示す第１の実施の形態と同様の構成である。
【００５７】
この第４の実施の形態によれば、絶縁体であるゴムライニング１１に設けられた電気的触媒３の表面から、塩素の発生は抑制されて酸素が発生する。したがって、絶縁体であるゴムライニング１１の海水１５側の表面においても、海生生物の付着を防止することができる。
【００５８】
図８は、本発明の第５の実施の形態の構成を示す説明図である。図８に示すように、第５の実施の形態における防汚装置２０は、冷却用海水取入れコンクリート製取水路１４（構造物）における海水１５側の表面において酸素を発生させて海生生物の着生を抑制するものであり、導電体８が冷却用海水取入れコンクリート製取水路１４の補強用鉄筋（一部が海水１５と接触している）として形成されている他は、図７に示した第４の実施の形態と同様の構成である。
【００５９】
この第５の実施の形態によれば、絶縁体である冷却用海水取入れコンクリート製取水路１４の海水１５側の表面に設けられた電気的触媒３の表面から、塩素の発生は抑制されて酸素が発生する。したがって、冷却用海水取入れコンクリート製取水路１４の海水１５側の表面においても、海生生物の付着を防止することができる。
【００６０】
なお、チタンシート４は、ゴムライニング１１、冷却用海水取入れコンクリート製取水路１４の他、樹脂材などの種々の絶縁体部分にも設けることができる。
【００６１】
（変形例）
上記実施の形態では、本発明は防汚対象物として熱交換器を構成する部材を適用対象としたが、本発明の適用範囲はこれに限定されるものではなく、防汚用電流と陰極防食電流との干渉が問題となるあらゆる種類の海水と接して使用される構造物に適用することができる。
【００６２】
【発明の効果】
本発明は上述のように、防汚用電流と陰極防食電流との干渉を防止し、補助電流制御部を設けることにより、海水中に微量含まれている鉄イオンやマンガンイオン等の付着・堆積で、陽極形成部材に被覆された電気的触媒の表面状態が変化しても、無公害で確実かつ容易に海生生物の付着を防止でき、さらに、電気的触媒の溶出量を最小限に留め、経済的に運用できる防汚装置を提供することができる。
【図面の簡単な説明】
【図１】本発明の第１の実施の形態を示す説明図。
【図２】本発明の第２の実施の形態を示す説明図。
【図３】本発明の第３の実施の形態を示す説明図。
【図４】図３に示す実施の形態の変形例を示す図。
【図５】図３に示す実施の形態の他の変形例を示す図。
【図６】図３に示す実施の形態の更に他の変形例を示す図。
【図７】本発明の第４の実施の形態を示す説明図。
【図８】本発明の第５の実施の形態を示す説明図。
【符号の説明】
１  熱交換器、１ａ  管板（防汚対象部位）、１ｂ  伝熱管、３  電気的触媒、４  陽極形成部材（チタンシート）、５  絶縁シート、６  絶縁性接着剤、
７  外部直流電源、７ａ  正極、７ｂ  負極、７ｃ  自動電位制御部、
７ｄ  補助自動電流制御部、７ｒ  照合極、８  導電体、１０  水室、
１１  ライニング（ゴムライニング）、１２  照合電極、
１４  冷却用海水取入れコンクリート製取水路、１５  海水、
４０  陰極防食用の外部直流電源装置、４１  陰極防食用電極
【図１】
2004339782.tif 000003
【図２】
2004339782.tif 000004
【図３】
2004339782.tif 000005
【図４】
2004339782.tif 000006
【図５】
2004339782.tif 000007
【図６】
2004339782.tif 000008
【図７】
2004339782.tif 000009
【図８】
2004339782.tif 000010